(57)【特許請求の範囲】
【請求項１】
通風路に設置される換気用システム部材であって、
円筒形状の接続筒部と、
前記接続筒部の一端部から拡径方向に張り出したフランジ部と、
通風構造を備えた通風部と、該通風部の周縁から立ち上がる枠部とを有し、前記枠部の内側に挿入された前記フランジ部に係脱可能に装着されるグリル部材とを備え、
前記グリル部材は、突出方向が１８０度異なって前記枠部の内側に突出する一対の突起を少なくとも一対有し、
前記フランジ部は、突出方向が１８０度異なって前記接続筒部の拡径方向に突出する一対のアーチ状の掛止構造と、該掛止構造に前記接続筒部の中心側で隣接して前記掛止構造を弾性変形可能にし、該掛止構造と同じ曲率の曲線状のスリットとを備えており、
一対の前記掛止構造の先端同士の距離は、前記グリル部材の枠部同士の距離以上であることを特徴とする換気用システム部材。
【請求項２】
前記フランジ部は、４の倍数個の内角を有する正多角形状であり、
前記掛止構造は、前記フランジ部の各辺に設けられていることを特徴とする請求項１に記載の換気用システム部材。
【請求項３】
前記フランジ部は、円形であり、前記掛止構造を複数対有することを特徴とする請求項１に記載の換気用システム部材。
【請求項４】
前記グリル部材は、外側に突出する指掛け部を備えることを特徴とする請求項１又は２に記載の換気用システム部材。
【請求項５】
請求項１から４のいずれか１項に記載の換気用システム部材を有することを特徴とする換気扇。
【発明の詳細な説明】
【技術分野】
【０００１】
本発明は、風量調節機能を有する換気用システム部材及びこれを備えた換気扇に関する。
【背景技術】
【０００２】
給気又は排気のための通風路に設置される換気扇が備える換気用システム部材には、特許文献１に開示されるように、施工性及びデザイン性が良く、部品点数が少なく薄型化の可能な風量調節機能を備えたものがある。
【先行技術文献】
【特許文献】
【０００３】
【特許文献１】特開平８−１５２１８６号公報
【発明の概要】
【発明が解決しようとする課題】
【０００４】
上記特許文献１に開示される発明は、グリル部材の内側に設けられた凸形状、又はグリル部材の内側に設けられた凸形状に対応するようにフランジの外側に設けられた掛止め構造にてグリル部材の係脱を実施している。したがって、特許文献１に開示される発明は、グリル内寸が大きい場合又はフランジに設けられた掛止め構造の寸法が小さい場合には、グリル部材の落下に繋がり、グリル内寸が小さい場合又はフランジに設けられた掛止め構造の寸法が大きい場合にはグリル部材をフランジから外せない。よって、特許文献１に開示される発明は、グリル部材の係脱操作を常に安定した荷重で行うことはできなかった。【０００５】
本発明は、上記に鑑みてなされたものであって、グリル部材の係脱操作が常に安定した荷重で行える換気用システム部材を得ることを目的とする。
【課題を解決するための手段】
【０００６】
上述した課題を解決し、目的を達成するために、本発明は、通風路に設置される換気用システム部材であって、円筒形状の接続筒部と、接続筒部の一端部から拡径方向に張り出したフランジ部とを備えたフランジ部材と、通風構造を備えた通風部と、通風部の周縁から立ち上がる枠部とを有し、枠部の内側に挿入されたフランジ部材に係脱可能に装着されるグリル部材とを備える。グリル部材は、突出方向が１８０度異なって枠部の内側に突出する一対の突起を少なくとも一対有する。フランジ部は、突出方向が１８０度異なって接続筒部の拡径方向に突出する一対のアーチ状の掛止構造と、掛止構造に接続筒部の中心側で隣接し、掛止構造と同じ曲率の曲線状のスリットとを備えている。一対の掛止構造の先端同士の距離は、グリル部材の枠部同士の距離以上である。
【発明の効果】
【０００７】
本発明によれば、グリル部材の係脱操作が常に安定した荷重で行える換気用システム部材を得られるという効果を奏する。
【図面の簡単な説明】
【０００８】
【図１】本発明の実施の形態に係る通風端末器の取付け状態を示した断面図
【図２】実施の形態に係る通風端末器の展開斜視図
【図３】実施の形態に係る通風端末器の正面図
【図４】実施の形態に係る通風端末器に取付けるグリル部材の正面図
【図５】実施の形態に係る通風端末器のグリル部材の背面図
【図６】実施の形態に係る通風端末器のグリル部材の断面図
【図７】実施の形態に係る通風端末器のフランジ部のアーチ形状の掛止構造とグリル部材内側に設けられた突起の引掛りを示した詳細断面図
【図８】実施の形態に係る換気扇の構成を示す図
【発明を実施するための形態】
【０００９】
以下に、本発明の実施の形態に係る換気用システム部材及び換気扇を図面に基づいて詳細に説明する。なお、この実施の形態によりこの発明が限定されるものではない。
【００１０】
実施の形態．
図１は、本発明の実施の形態に係る通風端末器の取付け状態を示した断面図である。図２は、実施の形態に係る通風端末器の展開斜視図である。実施の形態に係る換気用システム部材である通風端末器１は、給気又は排気のための通風路を構成するダクト７の室内側の端末部に装着される。室内における装着位置は、天井面、壁面又は床面である。通風端末器１は、樹脂製のフランジ部材４と、フランジ部材４の前面を覆う樹脂製のグリル部材５とから構成されている。グリル部材５は、通風構造を備えた平板状の通風部５ａと、通風部５ａの周縁から立ち上がる枠部５ｂとを有している。グリル部材５は、突出方向が１８０度異なって枠部５ｂの内側に突出する一対の突起１２ａ，１２ｂを少なくとも一対有している。グリル部材５は、枠部５ｂの内側に挿入されたフランジ部材４に係脱可能に装着される。フランジ部材４は、通風路の室内開口端に嵌合接続される両端の開口した接続筒部２と、接続筒部２の前面側の一端から接続筒部２の中心軸から遠ざかる方向に延びたフランジ部３とが一体に形成されている。フランジ部材４の前面の中央には、接続筒部２と連通する開口端１３が開口している。
【００１１】
フランジ部材４は、接続筒部２をダクト７へ嵌め込むことにより、外周に取り付けたフォーム材６の圧縮に対する反作用の力でダクト７に仮固定され、かつ接続筒部２とダクト７の隙間を塞ぐ構造である。
【００１２】
図３は、実施の形態に係る通風端末器の正面図である。図３では、グリル部材５の図示は省略している。フランジ部３は、突出方向が１８０度異なって接続筒部２の拡径方向に突出する一対のアーチ状の掛止構造９と、掛止構造９に接続筒部２の中心側で隣接し、掛止構造９と同じ曲率の曲線状のスリット１０とを備えている。具体的には、フランジ部３は、正方形の平面形状に形成され、四辺をなす側面には、隅部寄りに各一つずつ、全側面では８個の掛止構造９が形成されている。対向する二辺においては、辺に沿った掛止構造９同士の間隔は等しくなっている。各掛止構造９には、フランジ部３の中心に向かって弾性変形が可能なようにアーチ状のスリット１０が形成されている。
【００１３】
図４は、実施の形態に係る通風端末器に取付けるグリル部材の正面図である。図５は、実施の形態に係る通風端末器のグリル部材の背面図である。図６は、実施の形態に係る通風端末器のグリル部材の断面図であり、図５中のVI-VI線に沿った断面を示している。図７は、実施の形態に係る通風端末器のフランジ部のアーチ形状の掛止構造とグリル部材内側に設けられた突起の引掛りを示した詳細断面図である。グリル部材５は、図４に示すように、平面形状が正方形とされている。グリル部材５の前面には、複数の傾斜したブレード１１を備えた通風構造が形成されている。図５及び図６に示すように、グリル部材５の二組の対向する二辺のうち一方の組の二辺には、フランジ部材４に形成されたアーチ状の掛止構造９に係脱可能に掛け止まる凸形状の一対の突起１２ａ，１２ｂが、二対形成されている。一対の突起１２ａ，１２ｂを使うことにより、接続筒部２の中心軸回りに９０度ずつ向きを変えた四通りの姿勢のいずれかでグリル部材５をフランジ部材４に装着することができる。したがって、グリル部材５の姿勢によってブレード１１の向きを変えることができ、風の吹き出し方向及び吸い込み方向を固定構造のブレード１１の向きによって変更可能となる。なお、図６においては、風の吹き出し方向を矢印によって示している。上記の機能は、フランジ部３及びグリル部材５の形状を円形にすることによっても、フランジ部３の外形及びグリル部材５の外形を４の倍数個の内角を有する正多角形状とし、フランジ部３の各辺に掛止構造９を設けることによっても実現可能である。
【００１４】
グリル部材５は、上記のようにフランジ部３の８個のアーチ形状の掛止構造９に対してグリル部材５の４個の突起１２ａ，１２ｂを係止させ、突起１２ａ，１２ｂよりも通風部５ａ側に掛止構造９を位置させることで、フランジ部材４に装着されている。
【００１５】
フランジ部３に設けられた１８０度異なる位置にあるアーチ形状の掛止構造９の先端同士の距離は、枠部５ｂ同士の距離以上となっている。フランジ部３に設けられた１８０度異なる位置にあるアーチ形状の掛止構造９の先端同士の距離が、枠部５ｂ同士の距離未満である場合は、スリット１０が無ければグリル部材５を外側に押し出す力が生じ、グリル部材５をフランジ部３から外しにくくなってしまう。しかし、実施の形態に係る通風端末器１は、フランジ部３に設けられた掛止構造９と同じ曲率の曲線状のスリット１０により、掛止構造９がスリット１０側に向かって弾性変形されることで、掛止構造９と枠部５ｂに設けられた突起１２ａ，１２ｂとの引掛り寸法が一定となるため、グリル部材５の係脱操作が常に安定した荷重で行える。
【００１６】
また、グリル部材５の枠部５ｂには、外側に突出する指掛け部８が一体に成形されており、指掛け部８を前方に引っ張ることにより、グリル部材５をフランジ部材４から容易に取り外せるようになっている。したがって、グリル部材５の落下などの危険がなくかつ無理なく容易に係脱操作が実施できる。
【００１７】
図８は、実施の形態に係る換気扇の構成を示す図である。接続筒部２の内部にファン３０が設置されることにより、換気扇４０が構成されている。すなわち、実施の形態に係る換気扇４０は、換気用システム部材である通風端末器１とファン３０とを備えている。実施の形態に係る換気扇４０は、実施の形態に係る通風端末器１と同様に、グリル部材５の係脱操作を常に安定した荷重で行うことが可能である。
【００１８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００１９】
１  通風端末器、２  接続筒部、３  フランジ部、４  フランジ部材、５  グリル部材、５ａ  通風部、５ｂ  枠部、６  フォーム材、７  ダクト、８  指掛け部、９  掛止構造、１０  スリット、１１  ブレード、１２ａ，１２ｂ  突起、１３  開口端、３０  ファン、４０  換気扇。
【図１】
0006704471.tif 000002
【図２】
0006704471.tif 000003
【図３】
0006704471.tif 000004
【図４】
0006704471.tif 000005
【図５】
0006704471.tif 000006
【図６】
0006704471.tif 000007
【図７】
0006704471.tif 000008
【図８】
0006704471.tif 000009